(57)【要約】【課題】加熱ローラの表面温度を検知する温度センサへのトナー等の付着を防止して加熱ローラの正確な温度検知を行い良好なトナー定着画像を得ること及び耐久性を向上させてメンテナンスの容易化を図ることを目的とする。【解決手段】温度検知手段は加熱ローラの表面温度を検知する温度検知素子と温度検知素子を支持する支持部材とから構成する。この温度検知手段を加熱ローラの円周表面に接触させるとき、支持部材が加熱ローラの円周表面に当接する接点位置より加熱ローラの回転方向上流側に、僅かに偏移して温度検知素子を配置する。特に温度検知素子のローラ回転方向上流側への偏移を１．０ｍｍ以内とすることを最適とする。【選択図】        図５
2004354691.tif 000002
【特許請求の範囲】
【請求項１】
回転駆動可能に支持され、回動する周面において未定着現像剤像を担持した記録媒体と接触し、前記未定着現像剤像の加熱溶融を行う加熱ローラと、
前記加熱ローラの表面温度を感知する温度検知素子と該温度検知素子を支持する支持部材とを有し、前記支持部材と前記温度検知素子が前記加熱ローラに接触して前記加熱ローラの表面温度を検知する温度検知手段と、を備えた定着装置であって、
前記温度検知手段の前記支持部材が前記加熱ローラに当接する接線位置より、前記加熱ローラの回転方向上流側において、前記温度検知素子が前記加熱ローラ表面に接触するように配置されていることを特徴とする定着装置。
【請求項２】
前記温度検知素子が前記加熱ローラ表面と接触する位置の偏移が、前記支持部材の前記加熱ローラに当接する接線位置から前記加熱ローラの回転方向上流側に１．０ｍｍ以内であることを特徴とする請求項１に記載の定着装置。
【請求項３】
前記温度検知素子が耐熱フィルムを介して前記加熱ローラ表面に接触していることを特徴とする請求項１又は請求項２に記載の定着装置。
【請求項４】
前記支持部材を移動可能に支持し、前記温度検知素子が前記加熱ローラへ当接する位置を調節できるように構成していることを特徴とする請求項１から請求項３のいずれかに記載の定着装置。
【請求項５】
請求項１から請求項４のいずれかに記載の定着装置を備えて構成される画像形成装置。
【発明の詳細な説明】
【０００１】
【発明が属する技術分野】
本発明は加熱部材の表面温度を接触型温度検知センサで検知して、耐久性の優れた良好なトナー画像を得ることができるようにした定着装置又はこの定着装置を備えた画像形成装置に関する。
【０００２】
【従来の技術】
従来、画像形成装置においては、感光体上に形成されたトナー像を記録媒体上に転写した後、一般的に加熱ローラと加圧ローラを有する定着装置において加熱溶融し、該トナー像を記録媒体上に定着する方法が採用されている。通常、このような定着装置においては加熱ローラ近傍に温度センサを接触または非接触で配置し、この温度センサで加熱ローラの温度を検知して定着温度を制御している。
【０００３】
ところで、ウォームアップタイムの短い高速の画像形成装置では、温度センサの耐久性確保と温度検知精度の観点から、非接触型温度センサよりも接触型の温度センサを使用する場合が多いが、この場合、温度センサを応答性のよい条件で使用しようとするため、温度センサの有する感熱素子と円筒型加熱ローラとの接点をローラの径方向に一致させて当接させるのが一般的である。
【０００４】
【特許文献１】
特開２００２−３０４０８４（図４）
【特許文献２】
特開２００１−５３３３（図２）
【０００５】
【発明が解決しようとする課題】
しかし、定着装置の耐久がすすむと、加熱ローラに付着した残留トナーや記録紙の紙粉が温度センサの表面にも付着するようになるため、加熱ローラ表面と温度センサの当接状態が悪くなり、加熱ローラの表面温度が実際には所定の定着可能温度になっているにもかかわらず、温度センサによる検知温度がより低く検出されることがある。
【０００６】
この結果、加熱ローラの温度が必要以上に高くなり、加圧ローラによって圧力が加えられても記録媒体に転写されたトナーが記録媒体に完全に定着せずに、一部が加熱ローラ側に付着してしまう、いわゆる高温オフセットの状態が発生し、トナー像が記録媒体上に良好に定着できなくなるという問題が生じる場合がある。さらには記録媒体のカールによるＪＡＭ等の問題も発生する場合がある。
【０００７】
このような問題に対して、温度センサの感熱素子の接触面を自動的に清掃する装置などの解決方法が提案されているが装置自体が複雑なものとなって高価になってしまう欠点がある。一方、温度センサへのトナーや紙粉の付着力もますます強固になってきており、メンテナンス時に、その付着トナーを溶剤で除去することが難しくなっている。
【０００８】
例えば温度センサは、センサ部を構成する感熱素子を保護するため、ポリイミドなどの耐熱フィルムでその接触面が覆われているが、トナーがこのフィルムに付着したまま高温で長時間放置されると、加熱によりトナーとフィルムが化学反応を起こして強固な結合となったり、加熱ローラと耐熱フィルムとの摺擦による傷等にトナーが埋め込まれたりして、トナー及び紙粉を完全に払拭することがますます難しくなっている。
【０００９】
本発明は，このような問題点に鑑みてなされたものであり、加熱ローラの表面温度を検知する温度センサへのトナー等の付着を防止して、加熱ローラの正確な温度検知を行い、定着温度を制御して良好なトナー定着画像を得ることができる定着装置を提供すると共に、耐久性を向上させてメンテナンスの容易化を図ることを目的とするものである。
【００１０】
【課題を解決するための手段】
上記目的を達成するために、本願発明に係る定着装置は、少なくとも加熱ローラとこの加熱ローラの表面温度を検知する温度検知手段と、を備えて構成されている。
【００１１】
定着装置を構成する加熱ローラは回転駆動可能に支持され、回動する周面において未定着現像剤像を担持した記録媒体と接触し、現像剤像の加熱溶融を行う。なお、通常は加熱ローラと対になって配置される加圧ローラは、周面において加熱ローラに圧接し、圧接する部分に未定着現像剤像を担持した前記記録媒体を挟持して加熱すると共に、加熱ローラの回転に従って回転しながら現像剤像の記録媒体上への加圧定着を行う。
【００１２】
温度検知手段は加熱ローラの表面温度を感知する温度検知素子と温度検知素子を支持する支持部材とから構成されており、この温度検知素子が、支持部材が加熱ローラの円周表面に当接する接点より加熱ローラの回転方向上流側に、僅かに偏移して配置されていることを特徴としている。
【００１３】
加熱ローラに付着する残留トナー及び紙粉は、温度検知手段を構成する支持部材が加熱ローラの外周面と当接する接線位置よりも回転方向下流側のローラ円周上と接線方向に延びた支持部材とが形成する三角形状の間隙に溜まっていくことが経験的に知られているので、温度検知素子を回転方向上流側で加熱ローラに接触させることにより、温度検知素子に残留トナーや紙粉が付着することが少なくなり、長期間の使用によっても正確な温度検知が可能となる。
【００１４】
このとき、温度検知素子のローラ回転方向上流側への偏移を１．０ｍｍ以下とすることが最適である。これ以下であれば加熱ローラ表面温度と温度検知手段の検知温度との温度差を５℃以下に抑えることができ、温度検知手段の検知精度を十分に確保できるからであり、仮に１．５ｍｍ上流にすると温度検知手段の検知温度との温度差が約１６℃ほどになって検知誤差が大きくなるためである。
【００１５】
特に、温度検知手段を構成する温度検知素子は耐熱フィルムを介して加熱ローラ表面に接触させることが好ましい。このような構成にすれば、加熱ローラと温度検知素子との絶縁状態を保つことができ、また、たとえ未定着トナーの飛沫があっても、耐熱フィルムに付着するので温度検知素子の保護となり、耐熱フィルム洗浄・交換等のメンテナンスにより対処が容易になるからである。
【００１６】
特に温度検知手段は、温度検知素子を支える支持部材の移動により加熱ローラへの当接位置を調節できるように構成することがより好ましい。このような構成にすれば、温度検知手段の位置調整が容易になるだけでなく、支持部材と加熱ローラとの摺擦による傷の発生を予防することができ、耐久性を向上させることができるからである。
【００１７】
また以上のように構成された定着装置を有する画像形成装置とすれば、加熱ローラの正確な温度検知を行うことができ、長期に渡って良好なトナー定着画像を得ることが可能となる。
【００１８】
【発明の実施の形態】
以下、本願発明に係る定着装置の最適な実施の態様について図面を参照しながら説明する。図１は本願発明に係る定着装置を搭載した画像形成装置１０の全体構成を示す模式図であるが、本発明はこの実施の態様に限定されるものではない。
【００１９】
この画像形成装置１０は、自動両面コピーのための再搬送手段を有するディジタル複写機の例である。装置本体には画像処理部２、画像書込部（露光装置４２）、画像形成部４、カセット給紙部５、定着装置６、排紙部７が備えられ、装置本体上部には原稿搬送部２０と画像読取部３０が搭載されている。
【００２０】
原稿搬送部２０の原稿台２１上には複写面を上向きにして原稿（図示しない）が載置され、自動原稿反転搬送装置２２の搬出部ピックアップローラ２５により搬送路に送り込まれる。搬送路の最終端には原稿搬送部レジストローラ２６が配置されており、画像読取部３０の走査タイミングと同期して回転し、スリットグラス２７上を通過させる。
【００２１】
画像読取部３０はスリットグラス２７を通して原稿を照射する光源Ｌとミラーからなる走査ユニット３１、反射光をガイドする二枚のミラー３２、レンズ３３及びＣＣＤ等の撮像素子３４から構成されている。
【００２２】
原稿は画像読取部３０の上部に配置されたスリットガラス２７上を通過する際に、走査ユニット３１によって読み取られ、二枚のミラー３２およびレンズ３３を経て撮像素子３４上に結像される。読み取られた原稿の画像情報は画像処理部２より処理され、ディジタル化された画像情報のデータは画像処理部２に設けられるメモリに一時格納される。
【００２３】
画像形成部４は、表面に潜像が形成される像担持体としての感光体１を有しており、感光体１の外周面に沿って動作順に、この感光体１の表面をほぼ一様に帯電する帯電装置４１と、感光体表面上に静電潜像の書き込みを行う露光装置４２と、感光体１の表面に形成された潜像にトナーを転移させてトナー画像を形成する現像装置４３と、感光体表面上のトナー像を記録紙Ｐに転写する転写装置４４、及び転写後の感光体１の表面を清掃するクリーニング装置４５が配設されている。
【００２４】
一方、記録紙Ｐを収容する給紙カセット５１には、板バネ等の付勢手段により常時その自由端が上方向に付勢される可動板５２が配置され、その上に配置される記録紙Ｐの最上位のものがピックアップローラ５３に接触するように構成されている。ピックアップローラ５３に接触した記録紙Ｐは給紙カセット５１から排出され、さばきローラ５３Ａによって一枚ずつ分離された後、複数の中間ローラ５４にガイドされてレジストローラ５５まで搬送される。
【００２５】
記録紙Ｐはレジストローラ５５により給紙タイミングがとられて転写装置４４に搬送され、感光体１上に形成されたトナー画像が転写装置４４において記録紙Ｐ上に一括転写される。トナー画像の転写された記録紙Ｐは、本発明に係る定着装置６に搬送される。記録紙Ｐ上のトナー画像は定着装置６により定着処理される。定着処理された記録紙Ｐは、排紙ローラ７１に挟持されて機外に排紙され、排紙台７２上に載置される。
【００２６】
図２は本願発明の一実施形態に係る定着装置６を示す模式断面図である。この定着装置６は未定着のトナー像が転写された記録紙Ｐの一面に接して加熱する加熱ローラ６１と、この加熱ローラ６１に圧接してなる加圧ローラ６２と、加熱ローラ６１の表面の残留トナーを清掃する定着クリーニング機構８０と、本願発明に係る温度検知手段１１から構成されている。
【００２７】
加熱ローラ６１は熱伝導率の高い金属製の円筒状芯金の内部に、回転軸方向に沿って二本のハロゲンランプからなるヒートランプ６５、６６を延在して構成され、図示しない駆動モータからの駆動力を受けて図２中の矢印方向に回転しながら、ヒートランプ６５、６６によりトナーの溶融温度まで加熱される。
【００２８】
図３は定着装置６の駆動制御を示すブロック図である。第一のヒートランプ６５は加熱ローラ６１の中央部を加熱し、第二のヒートランプ６６は加熱ローラ６１の端部を加熱する。定着する記録紙Ｐの幅方向の大きさによりヒートランプ６５、６６が選択されて、制御部１２により、その駆動がコントロールされる。
【００２９】
加熱ローラ６１は加熱され、外周面が記録紙Ｐに担持されたトナー像と接触してこれを溶融するが、記録紙Ｐへの転写性を良くするため、円筒状芯金の外周面上には離型層として耐熱性の高い表面樹脂層６３が形成されている。
【００３０】
加圧ローラ６２は、加熱ローラ６１の回転に従って従動回転するように回転軸が支持されている。この加圧ローラ６２はスプリング６４等の付勢手段により、少なくとも定着時には記録紙Ｐを介して加熱ローラ６１に圧接され、記録紙Ｐとトナー像を圧着する。そのため、加圧ロール６２の表面には弾性層が設けられており加熱ローラ６１との間にニップ部Ｔを形成しやすくしている。
【００３１】
また、ニップ部Ｔより回転方向下流側には加熱ローラ６１の外周面に接して、加熱ローラ６１の表面をクリーニングするための定着クリーニング機構８０が設けられている。この定着クリーニング機構８０は巻き取りローラ８１と元巻きローラ８３及びバックアップローラ８２により耐熱不織布に離型剤を含浸させたクリーニングウェブ８４を張架し、バックアップローラ８２によりクリーニングウェブ８４を加熱ローラ６１の表面樹脂層６３に当接させて、加熱ローラ６１表面に付着したトナーや紙粉などを排除する機能を有している。
【００３２】
本実施態様に係る定着クリーニング機構８０ではクリーニング機能を低下させないために、クリーニングウェブ８４は、駆動可能に支持された巻き取りローラ８１の回転によって元巻きローラ８３から少しずつ移動し、常にクリーニングウェブ８４の未使用面が加熱ローラ６１の表面樹脂層６３に接触するように構成されている。
【００３３】
定着クリーニング機構８０の加熱ローラ６１回転方向下流側には、加熱ローラ６１の温度を検知してその検知信号を制御部１２に出力する温度検知手段１１が、加熱ローラ６１の中央部および端部にそれぞれ設けられている。制御部１２（図３参照）は検知温度に基づき、ヒータ駆動回路６７を駆動して加熱ローラ６１の内部に配設されたヒートランプ６５，６６を加熱し、加熱ローラ６１の外周面の温度がトナー像溶融温度に保持されるように制御する。ヒートランプ６５，６６は定着する記録紙Ｐの幅方向の大きさにより選択的に駆動される。
【００３４】
以下に、温度検知手段１１の構成を示す。図４は温度検知手段１１の構成と加熱ローラ６１との取り付け位置関係を示す模式図である。この温度検知手段１１は感熱素子であるサーミスタ素子１３と板バネ１４とを有しており、板バネ１４の一端が樹脂成形部１５で固定されている。樹脂成形部１５には取り付け方向を規制するための突起部１５０が形成されており、センサ取り付け板１６にネジ止めをすることによって樹脂成形部１５の取り付け位置が正しく定められる。
【００３５】
板バネ１４は弾力性を有する金属の薄板で構成され、他端の自由端近傍で加熱ローラ６１に接触して、図４（ｂ）に示すように板バネ１４の付勢力で加熱ローラ６１の外周面に圧接している。サーミスタ素子１３は二枚の板バネ１４に挟まれるようにして支持され、板バネ１４をリード線として図示しない外部端子に接続されている（（ａ）参照）。
【００３６】
図５は温度検知手段１１の構成をさらに拡大し、模式的に示した断面図である。図５に示すように、サーミスタ素子１３は板バネ１４が加熱ローラ６１の外周面に当接する接線位置Ｃより、加熱ローラ６１の回転方向上流側において加熱ローラ６１の表面に接触するように配置されている。
【００３７】
耐久がすすむと定着クリーニング機構８０では除去しきれないトナーが加熱ローラ６１の表面に残留し、板バネ１４と加熱ローラ６１との摺擦によって、加熱ローラ６１表面に残留したトナーが加熱ローラ６１の回転方向下流側であって、加熱ローラ６１の外周面と接線方向に延びた板バネ１４とがつくる楔形間隙部分に滞留していくことが知られている。
【００３８】
温度検知の応答性からすれば、板バネ１４が加熱ローラ６１の外周面に当接する接線位置Ｃにサーミスタ素子１３の感熱部分を接触配置することが好ましい。しかし、本願発明では加熱ローラ６１表面に付着したトナーや紙粉がサーミスタ素子１３にも付着し、耐久によって正確な温度検出ができなくなるおそれがあることから回転方向上流側に偏移して配置している。
【００３９】
接線位置Ｃに対するサーミスタ素子１３の取り付け位置と温度検知の応答性との関係を示したグラフを図６に示す。図が示すように、回転方向上流側への偏移は接線位置Ｃからおよそ１．０ｍｍ以内が最適である。１．０ｍｍ以上偏移させると、サーミスタ素子１３と加熱ローラ６１との接触圧が確保できずに加熱ローラ６１とサーミスタ素子１３の検出温度との間に１５．９℃ほど温度差ができてしまい、的確な温度制御できなくなるおそれがあるからである。
【００４０】
また図４（ａ）に示すように、板バネ１４及びサーミスタ素子１３と加熱ローラ６１との接触位置の微調整を可能にし、メンテナンスを容易にするため、温度検知手段１１を固定する樹脂成形部１５はセンサ取り付け板１６とは着脱可能であって前後にスライド移動可能に支持されている。
【００４１】
本願発明では特に、サーミスタ素子１３を加熱ローラ６１の表面に、直に接触させないようその表面を図示しない耐熱フィルムで覆うことが好ましく、耐熱フィルムを介して加熱ローラ６１に接触するように板バネ１４に絶縁テープで貼付する。このような構成にすれば、板バネ１４と加熱ローラ６１の摺擦によって、加熱ローラ６１の表面樹脂層６３に傷がつくのを予防することができる。またサーミスタ素子１３を加熱ローラ６１から絶縁することが容易となり、サーミスタ素子１３に残留トナーや紙粉が付着するのを防止できるので、メンテナンスの向上を図ることが可能となる。
【００４２】
以下、本願発明に係る画像形成装置１０と定着装置６の動作について説明する。原稿は画像読取部３０の上部に配置されたスリットガラス２７上を通過する際に、走査ユニット３１によって画像が読み取られ、反射光をガイドする二枚のミラー３２およびレンズ３３を経て撮像素子３４上に結像される。
【００４３】
撮像素子３４により読み取られた原稿の画像情報は画像処理部２においてＡ／Ｄ変換、シェーディング補正，画像圧縮等の処理が行われた後、ディジタル化された画像情報のデータが画像メモリに一時格納される。
【００４４】
画像書込部を構成する露光装置４２は、この画像情報データをもとに半導体レーザを電気的に変調し、コリメータレンズを通して多面体反射鏡（ポリゴンミラー）とレンズ群によって副走査を行う。さらに感光体１を回転させることで主走査を行い、静電潜像を感光体１上に再現する。
【００４５】
画像形成部４では、露光に先立ち、感光体１上に帯電装置４１のコロナ放電により所定の表面電荷が付与されているが、レーザ光の照射により、露光部分の電荷が露光量に応じて減じられ、結果として画像情報のデータに応じた静電潜像が感光体１上に形成される。
【００４６】
静電潜像は、現像装置４３から供給された現像剤のトナーにより可視化されてトナー画像となる。感光体１上に形成されたトナー可視画像は転写装置４４により記録紙Ｐに転写される。
【００４７】
カセット給紙部５を形成する給紙カセット５１内に収容された記録紙Ｐはピックアップローラ５３により給紙され、さばきローラ５３Ａにより重送が防止された後、複数の中間ローラ５４にガイドされて搬送される。中間ローラ５４によってガイドされた記録紙Ｐは、回転を開始する前のレジストローラ５５に、その先端が突き当てられてループが形成される。これにより搬送による記録紙Ｐの斜行が補正される。
【００４８】
その後、感光体１上に形成されたトナー画像の位置と記録紙Ｐの位置との同期がとられた後、レジストローラ５５は回転を開始して記録紙Ｐを転写装置４４へと搬送する。その結果、転写装置４４において記録紙Ｐとトナー画像とが重なり、同時に転写バイアス電圧がかけられて、トナー画像が記録紙Ｐに一括して転写される。
【００４９】
記録紙Ｐは感光体１から分離した後、定着装置６に搬送され、定着装置６を構成する加熱ローラ６１の加熱作用により、画像を形成するトナー粉末が記録紙Ｐ上に溶融定着される。
【００５０】
以下、定着装置６の作動について詳説すると、未定着トナー画像を担持した記録紙Ｐが加熱ローラ６１の回転に従って、加熱ローラ６１と加圧ローラ６２が形成するニップ部Ｔに挟持される。加熱ローラ６１で溶融されたトナー像はスプリング６４で付勢された加圧ローラ６２によって記録紙Ｐの背面から圧力が加えられて、記録紙Ｐ内部に浸透し定着する。
【００５１】
加熱ローラ６１の外周面は直接トナー及び記録紙Ｐと接触するので、耐久がすすむと加熱ローラ６１表面には残留トナーと紙粉が付着するようになる。この残留トナーや紙粉は通常は加熱ローラ６１の回転下流側に配置された定着クリーニング機構８０に装備されたクリーニングウェブ８４によって拭き取られる。
【００５２】
定着クリーニング機構８０の下流側に配置された温度検知手段１１は加熱ローラ６１の表面温度を検知して制御部１２にフィードバックする。制御部１２ではヒータ駆動回路６７を駆動してヒートランプ６５、６６を加熱し、加熱ローラ６１の表面温度を適正なトナー溶融温度に制御する。
【００５３】
しかしながら、耐久がすすむにつれて定着クリーニング機構８０では十分な拭き取り効果も得られなくなる。その結果、接触型の温度検知手段１１を使用していると、サーミスタ素子１３の表面に残留トナーや紙粉が付着してサーミスタ素子１３と加熱ローラ６１の接触状態が悪化し、検知温度が正確な加熱ローラ６１の表面温度を検出しなくなる。またメンテナンス時にサーミスタ素子１３表面又は表面を保護する耐熱フィルムに付着したトナー及び紙粉を溶剤等で清掃することも難しくなる。
【００５４】
本願発明ではこのような情況を改善するために温度検知手段１１の中で、サーミスタ素子１３の配置位置に変更を加えたものである。接触型の温度検知手段１１では加熱ローラ６１の表面に付着した残留トナーが図５に示すように、板バネ１４と加熱ローラ６１が当接する接線位置より回転方向下流側であって、板バネ１４と加熱ローラ６１がつくる間隙にローラ表面に沿うように溜まっていくことが経験により知られている。
【００５５】
そこで、板バネ１４により支持されたサーミスタ素子１３が加熱ローラ６１表面と接する位置を板バネ１４が加熱ローラ６１に接する接線位置Ｃよりも回転方向上流側に少し変位して設置させている。このように構成することにより、定着装置６の耐久がすすんでも、残留トナーが付着していない回転方向上流側で温度検知することとしているので、残留トナーによる検知温度の低下を防止することが可能となる。
【００５６】
【発明の効果】
以上説明してきたように、本願発明の定着装置によれば、耐久により加熱ローラ表面にトナーや紙粉が残留するようになっても、温度検知手段の支持部材が加熱ローラの回転方向下流側に残留トナーを押しやり、残留トナーが溜まらない加熱ローラの回転方向上流側で温度検知を行っているので、長期にわたって正確な温度検知をすることを確保することができる。
【００５７】
また、温度検知素子に残留トナーの付着量が減るため温度検知素子の感度を低下させることが少なく、温度検知が正確になる結果、加熱ローラの温度を定着温度より高くすることがなくなり、高温オフセットによる画像品質劣化の問題も解決できる。
【００５８】
さらに、耐熱フィルムを介して温度検知素子を加熱ローラに接触させていれば、加熱ローラの外周面に配置された離型層を痛めることなく、耐熱フィルムの清掃も極めて短時間で済み、場合によっては耐熱フィルムの交換も不要となるのでメンテナンスの向上につながる。
【図面の簡単な説明】
【図１】本願発明に係る定着装置を搭載した画像形成装置の全体構成を示す模式図である。
【図２】本願発明の一実施形態に係る定着装置を示す模式断面図である。
【図３】本願発明の一実施形態に係る定着装置の駆動制御を示すブロック図である。
【図４】本願発明に係る温度検知手段の構成と加熱ローラとの取り付け位置関係を示す平面図（ａ）と断面図（ｂ）である。
【図５】本願発明に係る温度検知手段の構成を示す模式断面図である。
【図６】サーミスタ素子の取り付け位置と温度検知の応答性との関係を示したグラフである。
【符号の説明】
１          感光体
４          画像形成部
５          カセット給紙部
６          定着装置
１０        画像形成装置
１１        温度検知手段
１３        サーミスタ素子（温度検知素子）
１４        板バネ（支持部材）
２０        原稿搬送部
３０        画像読取部
４２        露光装置（画像書込部）
４３        現像装置
６１        加熱ローラ
６２        加圧ローラ
６３        表面樹脂層
６５，６６  ヒートランプ
８０        定着クリーニング機構
８４        クリーニングウェブ
Ｐ          記録紙
Ｔ          ニップ部
【図１】
2004354691.tif 000003
【図２】
2004354691.tif 000004
【図３】
2004354691.tif 000005
【図４】
2004354691.tif 000006
【図５】
2004354691.tif 000007
【図６】
2004354691.tif 000008